(57)【要約】    【課題】  既設の窓開口部の面積を減少させることなく、屋内に空気を取り入れることができるとともに、効率良く屋内空気を排出することができ、窓の開口面積が小さい集合住宅などの浴室に用いるのに好適な窓換気装置を提供する。    【解決手段】  開閉可能な可動式のルーバー１ａを備えるルーバー窓１の窓枠２内に、クロスフローファン５を内蔵するファンケース３を、ファンケース３の排気口３ａが屋外側９に向けて開口するように組み込んだ窓換気装置。    【選択図】  図１
2005273177.tif 000002
【特許請求の範囲】
【請求項１】
ルーバー窓の窓枠内に、クロスフローファンを内蔵するファンケースを、ファンケースの排気口が屋外側に向けて開口するように組み込んでなる窓換気装置。
【請求項２】
ファンケースの屋内側の吸気口部分にルーバーを設けてなる請求項１記載の窓換気装置。
【請求項３】
請求項１又は請求項２記載の窓換気装置を備えた浴室。
【発明の詳細な説明】
【技術分野】
【０００１】
本発明は、集合住宅などの浴室に用いて好適な窓換気装置及びこれを備えた浴室に関する。
【背景技術】
【０００２】
窓に取付ける換気扇として、引き違い窓の窓枠と窓との間、すなわち固定側の窓枠と可動側の窓枠との間に、クロスフローファンの排気ダクト部分を挟み込み取付けるようにしたものが知られている。（特許文献１参照）。
【特許文献１】登録実用新案第３０５０８０１号公報
【発明の開示】
【発明が解決しようとする課題】
【０００３】
しかし、従来の技術で述べたものは、窓枠と引き違い窓との隙間にクロスフローファンを内蔵する排気ダクトを設置する構造であり、既設の窓は使用できるものの、窓を完全に締め切ることができないため施錠が難しく防犯上の問題があり、施錠できるようにするには後付けの特別な鍵の取り付けが必要となる。
また、この引き違い窓の窓枠に取付ける換気扇を、例えば浴室の窓に適用する場合、特に集合住宅などの場合は元々浴室窓の開口面積が小さいため、引き戸式の窓に組み込む換気扇では不向きであり、引き戸式の窓に組み込んだ場合には、窓開き時に片側のみの開口となって開口面積が更に小さくなる問題を有している。
【０００４】
前記した集合住宅の壁はコンクリート製のものが多く、コンクリート壁の内部には鉄筋等の補強部材が存在し、その構造上、換気扇を取付けるための壁の開口工事が不可能であることが実態であり、また、旧式の集合住宅では浴室に換気扇が取付けられていないものも多くあって、浴室のような多湿の環境下において、窓を開けただけでは湿気がなくならず黴が発生して、それによる臭気が発生することが問題となっている。
【０００５】
本発明は、既設の窓開口部の面積を減少させることなく、屋内に空気を取り入れることができるとともに、効率良く屋内空気を排出することができる窓換気扇を提供するものである。
【課題を解決するための手段】
【０００６】
本発明は、次ぎのものに関する。
（１）  ルーバー窓の窓枠内に、クロスフローファンを内蔵するファンケースを、ファンケースの排気口が屋外側に向けて開口するように組み込んでなる窓換気装置。
（２）  ファンケースの屋内側の吸気口部分にルーバーを設けてなる上記（１）記載の窓換気装置。
（３）  上記（１）又は（２）記載の窓換気装置を備えた浴室。
【発明の効果】
【０００７】
本発明の窓換気装置によれば、ルーバー窓の窓枠内に、クロスフローファンを内蔵するファンケースを排気口が屋外側に向けて開口するように組み込むため、既設の窓開口部の面積を減少させることなく屋内に空気を取り入れることができ、また、クロスフローファンにより効率良く屋内側の空気を屋外に排出することができる。特に、窓の開口面積が小さい集合住宅などの浴室に適用する場合には、既設の窓又は既設の窓枠を交換することなく、簡単な後加工で浴室内の湿気の屋外への排出が可能となって黴の発生や臭気を抑えることができ有効である。
【発明を実施するための最良の形態】
【０００８】
本発明の窓換気装置におけるクロスフローファンを内蔵するファンケースは、ルーバー窓に備える複数枚の可動式のルーバーの開閉に支障を来さない位置、例えばルーバー窓の窓枠内側の下部又は上部に配置される。
【０００９】
ファンケースの屋内側に位置する吸気口部分には、指などが入りにくくするためのルーバーを設けるようにするのが好ましい。
【００１０】
ルーバー窓は、開口面積が小さい窓に好適に取付けられ、浴室の窓として好適に用いられ、窓のルーバー開閉は回転式のつまみを回すことにより複数枚あるルーバーを可動する。
【００１１】
クロスフローファンは、そのファン形状から吸気口厚みを薄く、長くすることができ、しかも排出空気量も多くできるもので、これをルーバー窓に適用する場合に、クロスフローファンの吸気口面積をルーバー窓の１枚のルーバーと同一程度の開口とすることで、窓を閉じたときのファンケースと窓部との密着性も良好となって好ましい。
【実施例】
【００１２】
以下、図１及び図２を参照しながら本発明による窓換気装置の実施例を説明する。
図１（ａ）は本発明の実施例による窓換気装置の屋内側からの正面図、図１（ｂ）は図１（ａ）中のＡ−Ａ断面におけるルーバー窓のルーバー開状態の断面図、図１（ｃ）は図１（ａ）中のＡ−Ａ断面におけるルーバー窓のルーバー閉状態の断面図、図２は本発明による窓換気装置を壁に取り付けた状態の屋内側からの斜視図である。
【００１３】
図１（ａ）、（ｂ）及び（ｃ）において、可動式のルーバー窓１は、窓枠２に複数枚のルーバー１ａが取り付けられ、ルーバー１ａは図１（ｃ）に示す閉状態から図１（ｂ）に示す開状態となるように開閉可能に取り付けられ、窓枠２には可動式のルーバー１ａを開閉するための開閉用回転式つまみ４が取り付けられており、開閉用回転式つまみ４を正回転すると図１（ｂ）に示すようにルーバー１ａが開き、開閉用回転式つまみ４を逆回転させると図１（ｃ）に示すようにルーバー１ａが閉じる構造となっている。
【００１４】
ルーバー窓１の窓枠２の下部内側には、クロスフローファン５を内蔵するファンケース３が取り付けられ、ファンケース３の屋内側８に位置する吸気口３ｂには、吸気口３ｂ内に指などを入れて怪我をすることがないようにするためのルーバー６が設けられる。
クロスフローファン５が内蔵されるファンケース３の屋外側９に位置する部分には排気口３ａが設けられており、クロスフローファン５が回転すると、例えば浴室などの屋内側８の空気を吸い込み、その空気を屋外側９に排気する。なお、実施例ではクロスフローファン５を内蔵するファンケース３を窓枠２の下部内側に取り付けているが、これに限らず、窓枠２の上部内側に取り付けるようにしてもよい。
【００１５】
また、図１（ｃ）に示すようにルーバー１ａを閉じた状態にすれば、屋内側８と屋外側９の空気を遮断することができる。
【図面の簡単な説明】
【００１６】
【図１】（ａ）は本発明の実施例による窓換気装置の屋内側からの正面図、（ｂ）は（ａ）中のＡ−Ａ断面おけるルーバー窓のルーバー開状態の断面図、（ｃ）は（ａ）中のＡ−Ａ断面におけるルーバー窓のルーバー閉状態の断面図である。
【図２】本発明による窓換気装置を壁に取り付けた状態の屋内側からの斜視図である。
【符号の説明】
【００１７】
１  ルーバー窓（可動ルーバー窓）          １ａ  ルーバー
２  窓枠                                    ３  ファンケース
３ａ  排気口                                ３ｂ  吸気口
４  開閉用回転式つまみ                      ５  クロスフローファン
６  ルーバー（吸気口用）                    ７  壁
８  屋内側                                  ９  屋外側
【図１】
2005273177.tif 000003
【図２】
2005273177.tif 000004